(57)【要約】【課題】電話の呼び出しに応答できないことを発信者に報知する。【解決手段】着呼時に携帯電話機が電話に出られない場所にある場合、または、着呼時刻が電話に出られない時間である場合には、画像記憶手段から電話に出られない場所または時間に対応するメッセージを読み出し、メッセージ送受信手段を介して発信元へ送信する。【選択図】　図４
2004015159.tif 000002
【特許請求の範囲】
【請求項１】
メッセージ送受信手段を備えた複数の携帯電話機を通信網を介して接続する携帯電話通信システムにおいて、
携帯電話機の位置を検出する位置検出手段と、
利用者が電話に出られない場所として登録した場所を記憶する場所記憶手段と、
前記電話に出られない場所に対応するメッセージを記憶するメッセージ記憶手段と、
着呼時に携帯電話機が前記電話に出られない場所にある場合には、前記メッセージ記憶手段から前記電話に出られない場所に対応するメッセージを読み出し、前記メッセージ送受信手段を介して発信元へ送信する自動応答手段とを携帯電話機に備えることを特徴とする携帯電話通信システム。
【請求項２】
メッセージ送受信手段を備えた複数の携帯電話機を通信網を介して接続する携帯電話通信システムにおいて、
利用者が電話に出られない時間として登録した時間を記憶する時間記憶手段と、
前記電話に出られない時間に対応するメッセージを記憶するメッセージ記憶手段と、
着呼時刻が前記電話に出られない時間である場合には、前記メッセージ記憶手段から前記電話に出られない時間に対応するメッセージを読み出し、前記メッセージ送受信手段を介して発信元へ送信する自動応答手段とを携帯電話機に備えることを特徴とする携帯電話通信システム。
【請求項３】
メッセージ送受信手段を備えた複数の携帯電話機を通信網を介して接続する携帯電話通信システムにおいて、
携帯電話機の位置を検出する位置検出手段と、
利用者が電話に出られない場所として登録した場所を記憶する場所記憶手段と、
利用者が電話に出られない時間として登録した時間を記憶する時間記憶手段と、
前記電話に出られない場所と時間に対応するメッセージを記憶するメッセージ記憶手段と、
着呼時に携帯電話機が前記電話に出られない場所にある場合、または、着呼時刻が前記電話に出られない時間である場合には、前記メッセージ記憶手段から前記電話に出られない場所または時間に対応するメッセージを読み出し、前記メッセージ送受信手段を介して発信元へ送信する自動応答手段とを携帯電話機に備えることを特徴とする携帯電話通信システム。
【請求項４】
請求項１または請求項３に記載の携帯電話通信システムにおいて、
前記位置検出手段は、携帯電話機の最寄りの基地局の位置情報に基づいて携帯電話機の位置を検出することを特徴とする携帯電話通信システム。
【請求項５】
請求項１または請求項３に記載の携帯電話通信システムにおいて、
前記位置検出手段は、携帯電話機の複数の基地局から発信される電波を同時に受信し、電波の到達時間から割り出した基地局までの距離に基づいて携帯電話機の現在位置を三角測量により検出することを特徴とする携帯電話通信システム。
【請求項６】
請求項１または請求項３に記載の携帯電話通信システムにおいて、
前記位置検出手段は、ＧＰＳ（Ｇｒｏｂａｌ　Ｐｏｓｉｔｉｏｎｉｎｇ　Ｓｙｓｔｅｍ）受信機を備え、衛星航法により携帯電話機の現在位置を検出することを特徴とする携帯電話通信システム。
【請求項７】
メッセージ送受信手段を備えた複数の携帯電話機を通信網を介して接続する携帯電話通信システムにおいて、
利用者のスケジュールを記憶するスケジュール記憶手段と、
着呼時刻が前記スケジュール記憶手段にスケジュールが入っていて電話に出られない時刻である場合には、前記スケジュール記憶手段から当該スケジュールの終了予定時刻またはスケジュールが入っていない空き時間帯情報を読み出し、前記メッセージ送受信手段を介して発信元へ送信する自動応答手段とを携帯電話機に備えることを特徴とする携帯電話通信システム。
【請求項８】
請求項７に記載の携帯電話通信システムにおいて、
発呼時に前記メッセージ送受信手段を介して通話先からスケジュールの終了予定時刻または空き時間帯情報を受信した場合に、スケジュールの終了予定時刻または空き時刻になったら再発呼を促す再発呼警告手段を備えることを特徴とする携帯電話通信システム。
【請求項９】
請求項７に記載の携帯電話通信システムにおいて、
発呼時に前記メッセージ送受信手段を介して通話先からスケジュールの終了予定時刻または空き時間帯情報を受信した場合に、スケジュールの終了予定時刻または空き時刻になったら自動的に再発呼を行う自動再発呼手段を備えることを特徴とする携帯電話通信システム。
【請求項１０】
請求項７〜９のいずれかの項に記載の携帯電話通信システムにおいて、
前記スケジュール記憶手段を、携帯電話機の外部の記憶装置とすることを特徴とする携帯電話通信システム。
【請求項１１】
請求項１〜１０のいずれかの項に記載の携帯電話通信システムにおいて、
前記自動応答手段による自動応答を行うか否かを選択する操作部材を携帯電話機に備えることを特徴とする携帯電話通信システム。
【請求項１２】
請求項１〜１１のいずれかの項に記載の携帯電話通信システムにおいて、
携帯電話機の移動を検出する移動検出手段を携帯電話機に備え、
前記自動応答手段は、着呼時に携帯電話機が前記電話に出られない場所にある場合、または、着呼時刻が前記電話に出られない時間である場合であっても、前記移動検出手段により携帯電話機の移動が検出されると前記自動応答を行わないことを特徴とする携帯電話通信システム。
【請求項１３】
請求項１〜１２のいずれかの項に記載の携帯電話通信システムにおいて、
発呼時に前記メッセージ送受信手段を介して通話先から電話に出られないことを表すメッセージを受信した場合に、緊急に通話を希望する信号を送信する緊急信号送信手段を携帯電話機に備えることを特徴とする携帯電話通信システム。
【請求項１４】
請求項１３に記載の携帯電話通信システムにおいて、
利用者が登録した緊急通話先を記憶する緊急通話先記憶手段と、
前記緊急通話希望信号を受信したときに、発信元が前記緊急通話先記憶手段に記憶されている緊急通話先でない場合は応答を拒否する応答拒否手段とを携帯電話機に備えることを特徴とする携帯電話通信システム。
【請求項１５】
請求項１〜１４のいずれかの項に記載の携帯電話通信システムにおいて、
前記メッセージには音声、画像およびテキスト情報が含まれることを特徴とする携帯電話通信システム。
【発明の詳細な説明】
【０００１】
【発明の属する技術分野】
本発明はＰＨＳを含む携帯電話機の通信システムに関する。
【０００２】
【従来の技術】
携帯電話通信システムでは所定時間ごとに基地局と通信を行い、それぞれの携帯電話機の現在位置を認識し、着信があると最寄りの基地局から接続している。したがって、基地局側では、携帯電話機が通信可能な状態にある限り、それぞれの携帯電話機がどこにあるのかを常に認識している。また、最近ではＧＰＳ（Ｇｒｏｂａｌ　Ｐｏｓｉｔｉｏｎｉｎｇ　Ｓｙｓｔｅｍ）受信機を携帯電話機に内蔵し、衛星航法により携帯電話機の現在位置を検出するものが実用に供されている。
【０００３】
【発明が解決しようとする課題】
ところで、携帯電話機は、通話可能なエリア内にいる限りどこにいても、何をしていても着呼するが、勤務先や会議中で応答できないことがある。しかし、応答せずに放置すると発信者をいらいらさせることになる。
【０００４】
本発明の目的は、電話の呼び出しに応答できないことを発信者に報知することにある。
【０００５】
【課題を解決するための手段】
（１）　請求項１の発明は、メッセージ送受信手段を備えた複数の携帯電話機を通信網を介して接続する携帯電話通信システムに適用される。
そして、携帯電話機の位置を検出する位置検出手段と、利用者が電話に出られない場所として登録した場所を記憶する場所記憶手段と、前記電話に出られない場所に対応するメッセージを記憶するメッセージ記憶手段と、着呼時に携帯電話機が前記電話に出られない場所にある場合には、前記メッセージ記憶手段から前記電話に出られない場所に対応するメッセージを読み出し、前記メッセージ送受信手段を介して発信元へ送信する自動応答手段とを携帯電話機に備える。
（２）　請求項２の発明は、メッセージ送受信手段を備えた複数の携帯電話機を通信網を介して接続する携帯電話通信システムに適用される。
そして、利用者が電話に出られない時間として登録した時間を記憶する時間記憶手段と、前記電話に出られない時間に対応するメッセージを記憶するメッセージ記憶手段と、着呼時刻が前記電話に出られない時間である場合には、前記メッセージ記憶手段から前記電話に出られない時間に対応するメッセージを読み出し、前記メッセージ送受信手段を介して発信元へ送信する自動応答手段とを携帯電話機に備える。
（３）　請求項３の発明は、メッセージ送受信手段を備えた複数の携帯電話機を通信網を介して接続する携帯電話通信システムに適用される。
そして、携帯電話機の位置を検出する位置検出手段と、利用者が電話に出られない場所として登録した場所を記憶する場所記憶手段と、利用者が電話に出られない時間として登録した時間を記憶する時間記憶手段と、前記電話に出られない場所と時間に対応するメッセージを記憶するメッセージ記憶手段と、着呼時に携帯電話機が前記電話に出られない場所にある場合、または、着呼時刻が前記電話に出られない時間である場合には、前記メッセージ記憶手段から前記電話に出られない場所または時間に対応するメッセージを読み出し、前記メッセージ送受信手段を介して発信元へ送信する自動応答手段とを携帯電話機に備える。
（４）　請求項４の携帯電話通信システムは、前記位置検出手段によって、携帯電話機の最寄りの基地局の位置情報に基づいて携帯電話機の位置を検出するようにしたものである。
（５）　請求項５の携帯電話通信システムは、前記位置検出手段によって、携帯電話機の複数の基地局から発信される電波を同時に受信し、電波の到達時間から割り出した基地局までの距離に基づいて携帯電話機の現在位置を三角測量により検出するようにしたものである。
（６）　請求項６の携帯電話通信システムは、前記位置検出手段は、ＧＰＳ（Ｇｒｏｂａｌ　Ｐｏｓｉｔｉｏｎｉｎｇ　Ｓｙｓｔｅｍ）受信機を備え、衛星航法により携帯電話機の現在位置を検出するようにしたものである。
（７）　請求項７の発明は、メッセージ送受信手段を備えた複数の携帯電話機を通信網を介して接続する携帯電話通信システムに適用される。
そして、利用者のスケジュールを記憶するスケジュール記憶手段と、着呼時刻が前記スケジュール記憶手段にスケジュールが入っていて電話に出られない時刻である場合には、前記スケジュール記憶手段から当該スケジュールの終了予定時刻またはスケジュールが入っていない空き時間帯情報を読み出し、前記メッセージ送受信手段を介して発信元へ送信する自動応答手段とを携帯電話機に備える。
（８）　請求項８の携帯電話通信システムは、発呼時に前記メッセージ送受信手段を介して通話先からスケジュールの終了予定時刻または空き時間帯情報を受信した場合に、スケジュールの終了予定時刻または空き時刻になったら再発呼を促す再発呼警告手段を備える。
（９）　請求項９の携帯電話通信システムは、発呼時に前記メッセージ送受信手段を介して通話先からスケジュールの終了予定時刻または空き時間帯情報を受信した場合に、スケジュールの終了予定時刻または空き時刻になったら自動的に再発呼を行う自動再発呼手段を備える。
（１０）　請求項１０の携帯電話通信システムは、前記スケジュール記憶手段を、携帯電話機の外部の記憶装置とする。
（１１）　請求項１１の携帯電話通信システムは、前記自動応答手段による自動応答を行うか否かを選択する操作部材を携帯電話機に備える。
（１２）　請求項１２の携帯電話通信システムは、携帯電話機の移動を検出する移動検出手段を携帯電話機に備え、前記自動応答手段によって、着呼時に携帯電話機が前記電話に出られない場所にある場合、または、着呼時刻が前記電話に出られない時間である場合であっても、前記移動検出手段により携帯電話機の移動が検出されると前記自動応答を行わないようにしたものである。
（１３）　請求項１３の携帯電話通信システムは、発呼時に前記メッセージ送受信手段を介して通話先から電話に出られないことを表すメッセージを受信した場合に、緊急に通話を希望する信号を送信する緊急信号送信手段を携帯電話機に備える。
（１４）　請求項１４の携帯電話通信システムは、利用者が登録した緊急通話先を記憶する緊急通話先記憶手段と、前記緊急通話希望信号を受信したときに、発信元が前記緊急通話先記憶手段に記憶されている緊急通話先でない場合は応答を拒否する応答拒否手段とを携帯電話機に備える。
（１５）　請求項１５の携帯電話通信システムは、前記メッセージに音声、画像およびテキスト情報を含む。
【０００６】
【発明の実施の形態】
図１は第１の実施の形態の携帯電話通信システムの構成を示す。携帯電話機１は、公衆電話回線網２の多数の中継機２ａを介して他の携帯電話機３あるいは一般加入電話機（不図示）と通話する。この図では２台の携帯電話機１，３を代表的に示すが、一実施の形態の携帯電話通信システムは図示しない多数の携帯電話機と公衆電話回線網２により構成されている。なお、以下では携帯電話機１を発信側、携帯電話機３を受信側として説明する。
【０００７】
図２は携帯電話機１、３の構成を示す。この一実施の形態では、説明を分かりやすくするために発信側の携帯電話機１と受信側の携帯電話機３とが同一種類のものであるとして説明する。携帯電話機１，３は、マイク１１、符号部１２、変調部１３および送信部１４から構成される音声送信系統を介して利用者の音声を送信する。また、受信部１５、復調部１６、符号部１７およびスピーカー１８から構成される音声受信系統を介して通話相手の音声を再生する。なお、切換部１９は送信時には送信部１４とアンテナ２０とを接続し、受信時には受信部１５とアンテナ２０とを接続する。
【０００８】
携帯電話機１，３はまた、小形のＣＣＤカメラ２１を備えており、カメラ２１、画像処理部２２、変調部１３および送信部１４から構成される画像送信系統を介して画像を送信する。さらに、受信部１５、画像生成部２３およびディスプレイ２４から構成される画像受信系統を介して画像を再生する。なお、画像メモリ２５はカメラ２１で撮像した画像と、画像受信系統を介して受信した画像を記録する。
【０００９】
コントローラ２６は、不図示のマイクロコンピューターとＲＡＭ、ＲＯＭなどの周辺部品を備え、キー入力部２７からの操作信号に基づいて音声と画像の上述した送受信系統を制御する。なお、キー入力部２７には不図示の０〜９の数字キーや方向キーなどの操作部材が含まれる。
【００１０】
位置検出装置２８は携帯電話機１，３の現在位置を検出する。この現在位置の検出方法には、（１）携帯電話機の最寄りの基地局の位置情報を携帯電話機の位置として利用する検出方法、（２）複数の基地局から発信される電波を同時に受信し、電波の到達時間から割り出した基地局までの距離を基に現在位置を三角測量で特定する検出方法、（３）ＧＰＳ受信機による衛星航法による検出方法、あるいは（４）上述した方法を組み合わせた検出方法などがある。
【００１１】
位置検出装置２８は不揮発性メモリ２８ａを備えており、このメモリ２８ａに電話に出られない場所を予め記憶しておくことができる。電話に出られない場所としては、例えば勤務先の会議室や打ち合わせ室などがある。
【００１２】
スケジューラー２９は携帯電話機利用者のスケジュールを管理するもので、時計２９ａとメモリ２９ｂを備えている。メモリ２９ｂには携帯電話機利用者が入力装置２７から入力した種々のスケジュール、仕事での会議や打ち合わせなどの他に、勤務時間、家族との食事や旅行などのプライベートなスケジュールを記憶しておくことができ、時計２９ａにより予定時刻になるとスピーカー１８とディスプレイ２４により利用者に報知する。
【００１３】
図３は一実施の形態の応答処理を示すフローチャートである。このフローチャートにより一実施の形態の動作を説明する。なお、説明を分かりやすくするために携帯電話機１を発信側とし、携帯電話機３を受信側とする。コントローラー２６は、着呼があると図３に示す応答処理プログラムの実行を開始する。ステップ１において、位置検出装置２８により受信側携帯電話機３の現在位置、すなわち応答すべき受信者の現在位置を検出する。
【００１４】
ステップ２では、受信側電話機３の現在位置が位置検出装置２８のメモリ２８ａに予め登録された電話に出られない場所か否かを確認し、電話に出られない場所であればステップ３へ進み、そうでなければステップ８へ進む。
【００１５】
予め登録された電話に出られない場所にいるときは、ステップ３でキー入力部２７の自動応答ボタンが操作されているかどうかを確認し、自動応答ボタンが操作されているときはステップ４へ進み、操作されていないときはステップ１０へ進む。予め登録された電話に出られない場所にいても自動応答ボタンが操作されていない場合は、受信者に電話に出る意志があると判断し、ステップ１０で通常の応答処理を行う。すなわち、キー入力部２７のオフフックボタンが操作されたら音声送受信系統を動作させ、通話を可能にする。
【００１６】
一方、予め登録された電話に出られない場所にいて受信者に応答意志がない場合は、ステップ４で、画像メモリ２５に予め記憶されている複数の画像の中から現在、受信側携帯電話機３が置かれている電話に出られない場所に対応する画像を読み出し、電話に出られない場所にいることを発信者に伝える画像（以下、応答画像という）として発信側携帯電話機１へ送信する。
【００１７】
この応答画像は、予めカメラ２１により電話に出られない場所を撮像し、画像メモリ２１に記憶したものである。例えば、位置検出装置２８により受信側電話機３が現在、勤務室にあることが検出された場合には、図４に示すような勤務室にいる画像を画像メモリ２５から検索し、応答画像とする。なお、応答画像は電話機外部のパソコン、スキャナーなどの外部機器から取り込んだ画像を用いてもよい。
【００１８】
図４は応答画像の表示例を示す。発信側電話機１から電話機３に発呼するとともに発信者の画像を送信すると、受信側電話機３で着呼し、ディスプレイ２４に発信者の顔画像が表示される。このとき、受信側電話機３が例えば勤務室や会議室などの電話に出られない場所にあって、受信者がキー入力部２７の自動応答ボタンを操作した場合には、予め画像メモリ２５に記憶しておいた画像の中から受信側電話機３が置かれている電話に出られない場所に対応する画像を検索し、応答画像として発信側電話機１へ送信する。発信側電話機１のディスプレイ２４には、図４に示すように執務室で仕事をしている応答画像が表示される。これにより、発信者は、受信者が電話に出られない場所にいることを認識できる。
【００１９】
一方、受信側電話機３が予め登録された電話に出られない場所にない場合には、ステップ８でスケジューラー２９により電話に出られない時刻かどうかを確認する。スケジューラー２９のメモリ２９ｂに記憶されているスケジュールを読み出し、時計２９ａで計時されている現在時刻にスケジュールが入っているかどうかを判定し、スケジュールが入っていれば電話に出られない時刻であるとする。電話に出られない時刻でない場合はステップ１１へ進み、通常の応答処理を行う。すなわち、キー入力部２７のオフフックボタンが操作されたら音声送受信系統を動作させ、通話を可能にする。
【００２０】
電話に出られない時刻の場合はステップ９へ進み、キー入力部２７の自動応答ボタン操作されているかどうかを確認し、自動応答ボタンが操作されているときはステップ１２へ進み、自動応答ボタンが操作されていないときはステップ１０へ進む。電話に出られない時刻であっても自動応答ボタンが操作されていない場合は受信者に電話に出る意志があると判断し、ステップ１０で通常の応答処理を行う。すなわち、キー入力部２７のオフフックボタンが操作されたら音声送受信系統を動作させ、通話を可能にする。
【００２１】
電話に出られない時刻でかつ受信者に応答意志がない場合は、ステップ１２で、画像メモリ２５に予め記憶されている複数の画像の中からスケジューラー２９の現在時刻のスケジュールに対応する画像を検索し、電話に出られない時刻であることを発信者に伝える応答画像として発信側電話機１へ送信する。例えば図４に示すように、現在、勤務時間中の場合は仕事中の応答画像を選択し、また現在、会議中の場合は会議中の応答画像を選択する。
【００２２】
発信者側電話機１のディスプレイ２４に仕事中や会議中の応答画像が表示されると、発信者は通話相手が電話に出られない状況にあることを認識できる。このとき、どうしても緊急に連絡をとりたい場合には、発信者はキー入力部２７の緊急通話ボタン（不図示）を操作して緊急通話希望信号を送信する。なお、予め画像メモリ２５に記憶しておいた緊急に連絡をとりたい旨のメッセージかまたは画像を受信側電話機３へ送信するようにしてもよい。
【００２３】
ステップ５で、発信側電話機１から緊急通話希望信号を受信したかどうかを確認し、受信したらステップ６へ進み、受信しなければこの応答処理を終了する。発信側電話機１から緊急通話希望信号を受信した場合は、ステップ６で発信側携帯電話機１の電話番号が予めコントローラー２６の内蔵メモリ（不図示）に記憶されているかどうかを確認する。発信側電話機１の番号が予め登録されている番号の場合はステップ７へ進み、そうでなければこの応答処理を終了する。
【００２４】
緊急通話希望信号を送信してきた発信側電話機１の電話番号が予め登録されている番号である場合は、通常の応答処理を行う。すなわち、キー入力部２７のオフフックボタンが操作されたら音声送受信系統を動作させ、通話を可能にする。
【００２５】
このように上述した一実施の形態によれば、着呼時に携帯電話機が電話に出られない場所にある場合、または、着呼時刻が電話に出られない時間である場合には、画像メモリ２５から電話に出られない場所または時間に対応する画像を読み出し、画像送受信系統を介して発信側携帯電話機１へ送信するようにしたので、電話の呼び出しに応答できないことを発信者に確実に報知することができる。
【００２６】
また、一実施の形態によれば、着呼時に携帯電話機が電話に出られない場所にある場合、または、着呼時刻が電話に出られない時間である場合でも、自動応答を行うか否かをキー入力部２７の自動応答ボタンの操作により選択するようにしたので、予め電話に出られない場所または時間として設定されていても、受信者の意志で電話に出られる限り応答することができ、発信者のいらいら感を和らげることができる。
【００２７】
さらに、発呼時に通話先から電話に出られないことを表す画像を受信した場合に、緊急に通話を希望する信号を送信するようにしたので、電話に出られない場所または時間として応答を拒否されても、緊急に連絡を取りたいことを通話先に伝えることができる。なお、緊急通話希望信号を受信したときに、発信元が予め登録された緊急通話先でない場合は応答を拒否するようにしたので、電話に出られない場所または時間での緊急連絡を予め登録した緊急連絡先のみに制限することができる。
【００２８】
特許請求の範囲の構成要素と一実施の形態の構成要素との対応関係は次の通りである。すなわち、アンテナ２０、送信部１４、変調部１３、符号部１２、マイク１１、受信部１５、復調部１６、復号部１７、スピーカー１８、画像生成部２３および画像処理部２２がメッセージ送受信手段を、位置検出装置２８が位置検出手段および移動検出手段を、メモリ２８ａが場所記憶手段を、画像メモリ２５がメッセージ記憶手段を、コントローラー２６が自動応答手段、再発呼警告手段および自動再発呼手段を、メモリ２９ｂが時間記憶手段を、キー入力部２７の自動応答ボタンが操作部材を、キー入力部２７の緊急通話ボタンが緊急信号送信手段を、コントローラー２６のメモリが緊急通話先記憶手段を、スケジューラー２９がスケジュール記憶手段をそれぞれ構成する。なお、本発明の特徴的な機能を損なわない限り、各構成要素は上記構成に限定されるものではない。
【００２９】
なお、上述した一実施の形態では電話に出られない場所にいるか、または電話に出られない時刻である場合には、キー入力部２７の自動応答ボタン操作の有無、すなわち受信者の応答意志の有無を確認し、受信者に応答意志がない場合に発信側携帯電話機１へ応答画像を送信して自動応答する例を示したが、発信者の応答意志の確認を省略し、電話に出られない場所にいるか、または電話に出られない時刻である場合には、直ちに受信側の状況に応じた応答画像を送信して自動応答するようにしてもよい。
【００３０】
また、位置検出装置２８により受信側携帯電話機３が移動していることを検出し、受信側電話機３が移動中のときはたとえ予め電話に出ないとして登録した場所や時刻であっても、電話に出られるとして自動応答しないようにしてもよい。例えば、スケジューラー２９では現在、会議中であり電話に出られない時刻となっていても、受信側電話機３が移動しているときは会議中ではないと判断して自動応答せず、受信者に通常の応答を促す。これにより、必要ないのに自動応答されてしまい、通話できなくなるのを避けることができる。なお、加速度センサーを携帯電話機１，３に内蔵し、移動中を検出するようにしてもよい。
【００３１】
なお、上述した一実施の形態では公衆電話回線網を介して接続される携帯電話機を例に上げて説明したが、本発明は、例えば無線ＬＡＮなどを使用したインターネット携帯電話のように、インターネットなどのあらゆる通信網を介して接続される携帯電話機に適用することができ、上述した一実施の形態と同様な効果を得ることができる。
【００３２】
上述した一実施の形態では、着呼時に携帯電話機が電話に出られない場所にある場合、または、着呼時刻が電話に出られない時間である場合には、画像メモリ２５から電話に出られない場所または時間に対応する画像を読み出し、画像送受信系統を介して発信側携帯電話機１へ送信する例を示した。画像の代わりに、電話に出られない場所または時間に対応する音声メッセージやテキストメッセージを、それらのメッセージを送受信する送受信装置を介して発信側携帯電話機１へ送信するようにしてもよい。
【００３３】
例えば、会議中や接客中で応答できない場合には、「ただ今、会議中のため電話に出られません」、「ただ今、接客中のため電話に出られません」というようなテキストメッセージを発信者に送信してもよい。なお、このようなテキストメッセージが長い場合には、テロップのように表示してもよい。また、「ただ今、会議中のため電話に出られません」、「ただ今、接客中のため電話に出られません」というような音声メッセージを発信者に送信してもよい。これらの音声メッセージは予め記憶しておくか、あるいは音声合成により生成すればよい。
【００３４】
また、例えば会議中で応答できない場合に、スケジューラー２９から会議終了予定時刻を読み出して「１５時に会議が終了します」というようなテキストメッセージ、音声メッセージあるいはテロップメッセージを発信者へ送信してもよい。このようにすれば、会議中で応答できないことを認識できる上に、いつ頃電話をかけ直してよいかも認識でき、さらに利便性が向上する。
【００３５】
さらに、スケジューラー２９から今日のスケジュールが入っていない空き時間帯を読み出して「本日は１３時から１５時が空いております」というようなテキストメッセージ、音声メッセージあるいはテロップメッセージを発信者へ送信してもよい。特に、ビジネス上の連絡先や取引先などに対してこのようなメッセージを予め記憶しておき、このようなメッセージで自動応答すれば、発信者はいつ電話をかけ直したらよいかを知ることができる。
【００３６】
なお、自動応答により会議終了時刻や空き時間帯のメッセージを受信した発信者側携帯電話機において、会議終了時刻や空き時間帯をスケジューラー２９のメモリ２９ｂに記憶しておき、時計２９ａの時刻が会議終了時刻や空き時刻になったら振動、アラーム、音声、画像などのメッセージにより再発呼を促すか、または自動再発呼を行うようにしてもよい。この場合、会議終了時刻や空き時間帯のメッセージを受信したときに、再発呼を行うか否かをキー入力部２７により選択し、再発呼を選択した場合のみ、上述したようなメッセージにより再発呼を促すか、または自動再発呼を行うようにしてもよい。このようにすれば、会議終了予定時刻や空き時刻を記憶していなくても再発呼し忘れるのを防止できる。なお、会議終了時刻や空き時間帯の情報は、携帯電話機のスケジューラー２９に記憶する代わりに、携帯電話機とブルーツースや無線ＬＡＮなどを介してリンクする外部のＰＤＡやノートパソコンなどに記憶しておき、それらの時計機能を利用して再発呼メッセージを生成するようにしてもよい。
【００３７】
【発明の効果】
以上説明したように本発明によれば、電話の呼び出しに応答できないことを発信者に確実に報知することができる。
【図面の簡単な説明】
【図１】一実施の形態の携帯電話通信システムの構成を示す図である。
【図２】携帯電話機の構成を示す図である。
【図３】一実施の形態の応答処理を示すフローチャートである。
【図４】一実施の形態の応答画面の表示例を示す図である。
【符号の説明】
１　発信側携帯電話機
２　公衆電話回線網
２ａ　中継機
２ｂ　記憶装置
３　受信側携帯電話機
１１　マイク
１２　符号部
１３　変調部
１４　送信部
１５　受信部
１６　復調部
１７　復号部
１８　スピーカー
１９　切換部
２０　アンテナ
２１　カメラ
２２　画像処理部
２３　画像生成部
２４　ディスプレイ
２５　画像メモリ
２６　コントローラー
２７　キー入力部
２８　位置検出装置
２８ａ　メモリ
２９　スケジューラー
２９ａ　時計
２９ｂ　メモリ
【図１】
2004015159.tif 000003
【図２】
2004015159.tif 000004
【図３】
2004015159.tif 000005
【図４】
2004015159.tif 000006